(57)【要約】【課題】ピボットヒンジに係る水漏れの発生を抑制することにある。【解決手段】締結部材と、下枠に該締結部材により締結されるピボットヒンジ本体と、を有するピボットヒンジであって、前記ピボットヒンジ本体と前記下枠との間に位置する止水材を備えることを特徴とする。【選択図】図４
2019007196.tif 000002
【特許請求の範囲】
【請求項１】
締結部材と、下枠に該締結部材により締結されるピボットヒンジ本体と、を有するピボットヒンジであって、
前記ピボットヒンジ本体と前記下枠との間に位置する止水材を備えることを特徴とするピボットヒンジ。
【請求項２】
請求項１に記載のピボットヒンジであって、
前記止水材は、穴部を有し、
該穴部を前記締結部材が貫通していることを特徴とするピボットヒンジ。
【請求項３】
請求項２に記載のピボットヒンジであって、
前記穴部の径は、前記締結部材の頭部の径よりも小さいことを特徴とするピボットヒンジ。
【請求項４】
請求項１乃至請求項３のいずれかに記載のピボットヒンジであって、
前記ピボットヒンジ本体の前記締結部材により締結される締結部分を覆うピボットヒンジカバーを有することを特徴とするピボットヒンジ。
【請求項５】
請求項４に記載のピボットヒンジであって、
前記ピボットヒンジ本体は、前記締結部材により締結され、かつ、前記締結部材の頭部を収容する窪み部を有し、
前記ピボットヒンジカバーは、前記窪み部を覆うことを特徴とするピボットヒンジ。
【請求項６】
請求項４又は請求項５に記載のピボットヒンジであって、
前記ピボットヒンジカバーは、
前記ピボットヒンジ本体の、前記下枠と対向する対向面以外の全ての面を、覆うことを特徴とするピボットヒンジ。
【請求項７】
請求項４乃至請求項６のいずれかに記載のピボットヒンジであって、
前記ピボットヒンジ本体を覆う前記ピボットヒンジカバーの裏面は、前記締結部材の頭部と接触することを特徴とするピボットヒンジ。
【請求項８】
下枠と、
締結部材と、前記下枠に該締結部材により締結されるピボットヒンジ本体と、を有するピボットヒンジと、を備える建具であって、
前記ピボットヒンジは、前記ピボットヒンジ本体と前記下枠との間に位置する止水材を備えることを特徴とする建具。
【発明の詳細な説明】
【技術分野】
【０００１】
本発明は、ピボットヒンジ、及び、建具に関する。
【背景技術】
【０００２】
ドア等を開閉させるためのピボットヒンジは、既によく知られている。このようなピボットヒンジの中には、ねじ等の締結部材と下枠に当該締結部材により締結されるピボットヒンジ本体とを有するものがある。
【先行技術文献】
【特許文献】
【０００３】
【特許文献１】特開２００７−１３８６５８号公報
【発明の概要】
【発明が解決しようとする課題】
【０００４】
このようなピボットヒンジにおいては、ピボットヒンジ本体が締結部材により下枠に締結されるため、下枠に締結部材を通すための穴が形成されることとなる。そして、当該穴を伝わって水漏れが生じる課題があった。
【０００５】
本発明は、かかる課題に鑑みてなされたものであり、その目的とするところは、ピボットヒンジに係る水漏れの発生を抑制することにある。
【課題を解決するための手段】
【０００６】
かかる目的を達成するために本発明のピボットヒンジは、締結部材と、下枠に該締結部材により締結されるピボットヒンジ本体と、を有するピボットヒンジであって、
前記ピボットヒンジ本体と前記下枠との間に位置する止水材を備えることを特徴とするピボットヒンジである。
【０００７】
このようなピボットヒンジによれば、水漏れの発生を抑制することが可能となる。
【０００８】
かかるピボットヒンジであって、
前記止水材は、穴部を有し、
該穴部を前記締結部材が貫通していることが望ましい。
【０００９】
このようなピボットヒンジによれば、水漏れの発生をより一層抑制することが可能となる。
【００１０】
かかるピボットヒンジであって、
前記穴部の径は、前記締結部材の頭部の径よりも小さいことが望ましい。
【００１１】
このようなピボットヒンジによれば、水漏れの発生をより一層抑制することが可能となる。
【００１２】
かかるピボットヒンジであって、
前記ピボットヒンジ本体の前記締結部材により締結される締結部分を覆うピボットヒンジカバーを有することが望ましい。
【００１３】
このようなピボットヒンジによれば、意匠性を向上させつつ、水漏れの発生をより一層抑制することが可能となる。
【００１４】
かかるピボットヒンジであって、
前記ピボットヒンジ本体は、前記締結部材により締結され、かつ、前記締結部材の頭部を収容する窪み部を有し、
前記ピボットヒンジカバーは、前記窪み部を覆うことが望ましい。
【００１５】
このようなピボットヒンジによれば、窪み部への水の滞留を抑止しつつ、水漏れの発生をより一層抑制することが可能となる。
【００１６】
かかるピボットヒンジであって、
前記ピボットヒンジカバーは、
前記ピボットヒンジ本体の、前記下枠と対向する対向面以外の全ての面を、覆うことが望ましい。
【００１７】
このようなピボットヒンジによれば、水漏れの発生をより一層確実に抑制することが可能となる。
【００１８】
かかるピボットヒンジであって、
前記ピボットヒンジ本体を覆う前記ピボットヒンジカバーの裏面は、前記締結部材の頭部と接触することが望ましい。
【００１９】
このようなピボットヒンジによれば、締結部材の緩みを防止することが可能となる。また、締結部材を確実に締めることが可能となる。
【００２０】
次に、下枠と、
締結部材と、前記下枠に該締結部材により締結されるピボットヒンジ本体と、を有するピボットヒンジと、を備える建具であって、
前記ピボットヒンジは、前記ピボットヒンジ本体と前記下枠との間に位置する止水材を備えることを特徴とする建具。
【００２１】
このような建具によれば、水漏れの発生を抑制することが可能となる。
【発明の効果】
【００２２】
本発明によれば、ピボットヒンジに係る水漏れの発生を抑制することが可能となる。
【図面の簡単な説明】
【００２３】
【図１】雌側ピボットヒンジ１０の斜視図である。
【図２】雌側ピボットヒンジ１０の透視図である。
【図３】雌側ピボットヒンジ１０の断面図である。
【図４】雌側ピボットヒンジ１０の分解図である。
【発明を実施するための形態】
【００２４】
＝＝＝本実施の形態に係る雌側ピボットヒンジ１０について＝＝＝
本実施の形態に係るピボットヒンジの一例としての雌側ピボットヒンジ１０について、図１乃至図４用いて説明する。図１は、雌側ピボットヒンジ１０の斜視図である。図２は、雌側ピボットヒンジ１０の透視図であり、ピボットヒンジカバー４０に隠れたピボットヒンジ本体１２等を透視させたものである。図３は、雌側ピボットヒンジ１０の断面図である。図４は、雌側ピボットヒンジ１０の分解図である。
【００２５】
なお、以下の説明においては、雌側ピボットヒンジ１０が下枠３に取り付けられた状態において、上下となる方向を上下方向、左右となる方向を左右方向、室内外方向である奥行き方向を見込み方向として示す。
【００２６】
本実施の形態に係るピボットヒンジは、下枠３に取り付けられている雌側ピボットヒンジ１０（ピボットヒンジ受）であり、建具１は、当該下枠３及び雌側ピボットヒンジ１０を備える。この雌側ピボットヒンジ１０は、不図示の浴室ドアの下方に取り付けられている雄側ピボットヒンジと係合して（協働して）、当該浴室ドアの開閉を可能としている。
【００２７】
雌側ピボットヒンジ１０は、ピボットヒンジ本体１２と、締結部材の一例としてのねじ２０と、止水材３０と、ピボットヒンジカバー４０と、を備えている。
【００２８】
ピボットヒンジ本体１２は、浴室ドアを支持するピボットヒンジの本体部分である。このピボットヒンジ本体１２は、金属（ステンレス）製の部材であり、上面視において室外側が矩形で室内側が円形（半円形）の形状を備えている。また、図３に示すように、下枠３が見込み方向において傾斜しており（室外側から室内側へ向かうにつれて下がっており）、これに合わせるために（雌側ピボットヒンジ１０の上面を平らにするために）、ピボットヒンジ本体１２の室内側の厚みは室外側の厚みよりも大きくなっている。
【００２９】
ピボットヒンジ本体１２の室内側には、雄型ピボットヒンジを係合（嵌合）させるための円形の穴部１２ａが設けられている。この穴部１２ａは、ピボットヒンジ本体１２を貫通するように形成されている。
【００３０】
また、ピボットヒンジ本体１２は下枠３（本実施の形態においては、下枠３の右端部）にねじ２０により締結（ねじ止め）されている。ここで、ピボットヒンジ本体１２の見込み方向における中央部には、窪み部１４が設けられており、本実施の形態においては、この窪み部１４がねじ２０により締結されている。
【００３１】
すなわち、窪み部１４の底面には、ねじ穴１４ａが左右方向に並ぶように二つ設けられており、この二つのねじ穴１４ａに対応するように下枠３にも二つのねじ穴３ａが形成されている。そして、ピボットヒンジ本体１２（窪み部１４）は、これらのねじ穴３ａ、１４ａを通過する二つのねじ２０により、ピボットヒンジ本体１２の下側に位置する下枠３に固定されている。
【００３２】
そして、ねじ２０の頭部２０ａは、図３に示すように、当該窪み部１４に収容された状態となっている。すなわち、窪み部１４は、ねじ２０により締結され、かつ、ねじ２０の頭部２０ａを収容する部分となっている。
【００３３】
止水材３０は、下枠３内への水の侵入を抑制するための部材である。この止水材３０は、樹脂製（本実施の形態においては、ＥＰＤＭの半独立発泡体）の部材であり、上面視で矩形状を備えている。この止水材３０は、ピボットヒンジ本体１２と下枠３との間に位置している。
【００３４】
止水材３０は、二つのねじ穴３０ａ（穴部に相当）を有し、このねじ穴３０ａをねじ２０が貫通している。つまり、二つのねじ２０は、ピボットヒンジ本体１２と下枠３との間に止水材３０が挟まれた状態で、ねじ穴３ａ、１４ａだけでなくねじ穴３０ａも通過している。そのため、止水材３０は、ねじ２０周りのピボットヒンジ本体１２と下枠３との間に配設されている（ねじ２０の周囲に位置している）。これにより、ピボットヒンジ本体１２、止水材３０、下枠３は、ねじ２０によって締め付けられ、止水材３０は圧縮された状態となっている。
【００３５】
また、本実施の形態においては、ねじ穴３０ａの径が、ねじ２０の頭部２０ａの径よりも小さくなっているので、ねじ２０の頭部２０ａが、ピボットヒンジ本体１２を介して止水材３０を、下枠３に対して確実に押さえつけるような構成となっている。
【００３６】
ピボットヒンジカバー４０は、意匠性を向上させるためにピボットヒンジ本体１２を覆うカバーであり、また、後述するように止水性を向上させる機能も有している。このピボットヒンジカバー４０は、樹脂製（本実施の形態においては、ポリアセタール樹脂）の部材であり、上面視において室外側が矩形で室内側が円形（半円形）の形状を備えている。また、室内側の厚みは室外側の厚みよりも大きくなっており、すなわち、ピボットヒンジカバー４０の形状は、ピボットヒンジ本体１２と同様の形状を備えている。そして、ピボットヒンジカバー４０は、ピボットヒンジ本体１２に適切に被さるように、ピボットヒンジ本体１２より一回り大きな大きさを備えている。
【００３７】
ピボットヒンジカバー４０の内部は中空となっており、ピボットヒンジカバー４０は、ピボットヒンジ本体１２に、上方から覆い被さった状態で嵌め込まれている。そのため、ピボットヒンジカバー４０は、ピボットヒンジ本体１２のねじ２０により締結される締結部分（すなわち、本実施の形態においては、前述した窪み部１４）を覆い、さらには、ピボットヒンジ本体１２の、下枠３と対向する対向面１２ｂ以外の全ての面（つまり、側面も含んだおもて面）を、覆っている。
【００３８】
また、ピボットヒンジカバー４０の室内側（つまり、穴部１２ａに対応する位置）には、雄型ピボットヒンジを係合（嵌合）させるための円形の凹部４０ａが設けられている。そして、この凹部４０ａは、前記穴部１２ａ内に収容されている。
【００３９】
その一方で、ピボットヒンジカバー４０の見込み方向における中央部（つまり、窪み部１４に対応する位置）には、穴部や凹部は設けられておらず、平坦面となっている。そして、当該平坦面は、窪み部１４を覆うと共に、さらには、ねじ２０の頭部２０ａと接触する接触面４０ｂとなっている。つまり、ピボットヒンジ本体１２を覆うピボットヒンジカバー４０の裏面は、ねじ２０の頭部２０ａと接触している。
【００４０】
＝＝＝本実施の形態に係る雌側ピボットヒンジ１０の有効性について＝＝＝
上述したとおり、本実施の形態に係る雌側ピボットヒンジ１０は、ねじ２０と、下枠３にねじ２０により締結されるピボットヒンジ本体１２と、を有している。そして、当該ピボットヒンジ本体１２と下枠３との間に止水材３０を位置させることとしたので、雌側ピボットヒンジ１０に係る水漏れの発生を抑制することが可能となる。
【００４１】
仮に、本実施の形態に係る雌側ピボットヒンジ１０に、前記止水材３０が設けられていない場合には、以下の問題が生じ得る。
【００４２】
すなわち、雌側ピボットヒンジ１０においては、ピボットヒンジ本体１２がねじ２０により下枠３に締結されるため、下枠３にねじ２０を通すためのねじ穴３ａが形成されることとなる。かかる場合には、このねじ穴３ａを伝わって水漏れが生ずる可能性がある。例えば、落下する水が、ねじ穴３ａのねじ２０との隙間を通って下枠３内（例えば、図３等に示した下枠３の空洞部３ｂ（ホロー部））に浸入してしまう場合がある。また、下枠３内に浸入した水がさらに移動して躯体にも浸み渡ってしまう恐れもある。
【００４３】
これに対し、本実施の形態においては、ピボットヒンジ本体１２と下枠３との間に止水材３０を位置させることとしたため、当該止水材３０が水のねじ穴３ａへの浸入をブロックする機能を発揮する。そのため、水がねじ穴３ａを伝わることによる水漏れの発生を抑制することが可能となる。
【００４４】
また、上記実施の形態においては、止水材３０は、ねじ穴３０ａを有し、当該ねじ穴３０ａをねじ２０が貫通していることとした。
【００４５】
そのため、止水材３０は、ねじ２０周りに配設され、ねじ穴３０ａへ向かう水を全方位からブロックする。したがって、水がねじ穴３ａを伝わることによる水漏れの発生をより一層抑制することが可能となる。
【００４６】
また、上記実施の形態において、ねじ穴３０ａの径は、ねじ２０の頭部２０ａの径よりも小さいこととした。
【００４７】
そのため、前述した通り、ねじ２０の頭部２０ａがピボットヒンジ本体１２を介して止水材３０を、下枠３に対して確実に押さえつけることが可能となる。したがって、ピボットヒンジ本体１２や下枠３と止水材３０との間に隙間が生じにくくなり、水がねじ穴３ａを伝わることによる水漏れの発生をより一層抑制することが可能となる。
【００４８】
また、上記実施の形態においては、ピボットヒンジ本体１２のねじ２０により締結される締結部分を覆うピボットヒンジカバー４０を有することとした。
【００４９】
そのため、止水材３０に加えて、ピボットヒンジカバー４０が、水のねじ穴３ａへの浸入をブロックする機能を発揮する。したがって、意匠性を向上させつつ、水がねじ穴３ａを伝わることによる水漏れの発生をより一層抑制することが可能となる。
【００５０】
また、上記実施の形態において、ピボットヒンジ本体１２は、ねじ２０により締結され、かつ、ねじ２０の頭部２０ａを収容する窪み部１４を有し、ピボットヒンジカバー４０は、窪み部１４を覆うこととした。
【００５１】
そのため、窪み部１４への水の滞留を抑止しつつ、水がねじ穴３ａを伝わることによる水漏れの発生をより一層抑制することが可能となる。
【００５２】
また、上記実施の形態において、ピボットヒンジカバー４０は、ピボットヒンジ本体１２の、下枠３と対向する対向面１２ｂ以外の全ての面を、覆うこととした。
【００５３】
そのため、水がねじ穴３ａを伝わることによる水漏れの発生をより一層確実に抑制することが可能となる。
【００５４】
また、上記実施の形態において、ピボットヒンジ本体１２を覆うピボットヒンジカバー４０の裏面は、ねじ２０の頭部２０ａと接触することとした。
【００５５】
そのため、ピボットヒンジカバー４０により頭部２０ａが押さえられ、ねじ２０の緩み（経時的にねじ２０が緩んでいくこと）を防止することが可能となる。また、雌側ピボットヒンジ１０を下枠３に設置する際にねじ２０の固定が緩い場合には、ピボットヒンジカバー４０が閉まらないことに設置者が気付くため、ねじ２０を確実に締めることが可能となる。
【００５６】
＝＝＝その他の実施の形態＝＝＝
上記実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５７】
上記実施の形態においては、雌側ピボットヒンジ１０が下枠３に、雄側ピボットヒンジが浴室ドアに、それぞれ取り付けられていることとしたが、これに限定されるものではなく、雄側ピボットヒンジの方が下枠に雄側ピボットヒンジの方が浴室ドアに取り付けられていることとしてもよい。つまり、ピボットヒンジとして雌側ピボットヒンジ１０を例に挙げて説明したが、これに限定されるものではなく、雄側ピボットヒンジであってもよい。
【００５８】
また、上記実施の形態においては、ピボットヒンジとして浴室ドア用のピボットヒンジを例に挙げて説明したが、これに限定されるものではなく、どのような用途のピボットヒンジにも適用可能である。
【００５９】
また、上記実施の形態においては、図４に示したように、止水材３０に穴部（ねじ穴３０ａ）が予め設けられ、このねじ穴３０ａをねじ２０が貫通することとしたが、これに限定されるものではない。例えば、止水材３０には、ねじ穴３０ａが予め設けられておらず、ねじ２０が貫通することにより、初めて止水材３０に穴部が形成されることとしてもよい。
【００６０】
つまり、上記実施の形態においては、止水材の穴部として、止水材３０に予め設けられた（開けられた）ねじ穴３０ａを例に挙げて説明したが、これに限定されるものではなく、ねじ２０が貫通することにより後発的に形成される穴部であっても構わない。
【符号の説明】
【００６１】
１  建具
３  下枠、３ａ  ねじ穴、３ｂ  空洞部
１０  雌側ピボットヒンジ
１２  ピボットヒンジ本体、１２ａ  穴部、１２ｂ  対向面
１４  窪み部、１４ａ  ねじ穴
２０  ねじ、２０ａ  頭部
３０  止水材、３０ａ  ねじ穴
４０  ピボットヒンジカバー、４０ａ  凹部、４０ｂ  接触面
【図１】
2019007196.tif 000003
【図２】
2019007196.tif 000004
【図３】
2019007196.tif 000005
【図４】
2019007196.tif 000006